(57)【要約】【課題】  刈り残しが発生しにくい夜間作業を操縦容易に行うことができるコンバインを提供する。【解決手段】  走行機体前方の地面に向けて走行機体前後向きの線状スポット照明光３０を照射する照射手段を設けてある。線状スポット照明光３０を既刈り地３２と未刈り地３３との境界Ｌに照射させるよう構成してある。【選択図】        図９
2008125416.tif 000002
【特許請求の範囲】
【請求項１】
走行機体前方の地面に向けて走行機体前後向きの線状スポット照明光を照射する照射手段を設け、
前記線状スポット照明光を既刈り地と未刈り地との境界に照射させるよう構成してあるコンバイン。
【請求項２】
前記照射手段を、前照灯による照射光の一部を前記線状スポット照明光として照射するよう構成してある請求項１記載のコンバイン。
【発明の詳細な説明】
【技術分野】
【０００１】
本発明は、コンバインに関する。
【背景技術】
【０００２】
コンバインにおいて、従来、たとえば特許文献１に示されるものがあった。特許文献１に示されるコンバインは、刈取り部に設けたライト、アンローダに設けたライトを備えている。刈取り部のライトは、走行機体の前方に設定の照射範囲を照明する。すなわち、前照灯である。アンローダのライトは、刈取り部の中央直前を照明する。すなわち、作業灯である。
【０００３】
【特許文献１】特開２００６−２５６６６号公報（段落〔００２０〕−〔００２７〕、図１，２，６）
【発明の開示】
【発明が解決しようとする課題】
【０００４】
コンバインにおいて、刈り残しを回避しながら作業するには、刈取り前処理部の横端部が既刈り地と未刈り地との境界を通るようにして走行機体を走行させる必要がある。このため、従来の照明に関する技術を採用することによって夜間作業を可能にした場合、照明の下で既刈り地と未刈り地の境界を認識し、この境界を刈取り前処理部の横端部が通るよう注意深く操縦する必要があった。
【０００５】
本発明の目的は、刈り残しが発生しにくい夜間作業を操縦容易に行うことができるコンバインを提供することにある。
【課題を解決するための手段】
【０００６】
本第１発明によるコンバインは、走行機体前方の地面に向けて走行機体前後向きの線状スポット照明光を照射する照射手段を設け、前記線状スポット照明光を既刈り地と未刈り地との境界に照射させるよう構成してある。
【０００７】
本第１発明の構成によると、線状スポット照明光が既刈り地と未刈り地の境界に照射される状態にして走行機体を走行させることにより、刈取り前処理部の横一端部が境界を通るよう設定することができる。すると、刈取り前処理部の横一端部が前記境界を通るようにして走行機体を走行させるための操縦が、線状スポット照明光を照準手段として従来よりも操縦容易に行うことができる。
【０００８】
これにより、夜間作業でも、刈取り前処理部の横一端部が前記境界を通って刈り残りが発生しにくい作業を操縦面から楽にかつ容易に行うことができる。
【０００９】
本第２発明は、本第１発明の構成において、前記照射手段を、前照灯による照射光の一部を前記線状スポット照明光として照射するよう構成してある。
【００１０】
本第２発明の構成によると、前照灯を線状スポット照明光の光源に利用できる。
【００１１】
これにより、刈り残りが発生しにくい夜間作業を楽にかつ容易に行えるコンバインでありながら、線状スポット照明光の光源に前照灯を利用して安価に得ることができる。
【発明を実施するための最良の形態】
【００１２】
以下、本発明の実施例を図面に基づいて説明する。
図１は、本発明の実施例に係るコンバインの全体側面図である。図２は、本発明の実施例に係るコンバインの全体平面図である。これらの図に示すように、本実施例に係るコンバインは、左右一対のクローラ式走行装置１，１を備えた走行機体と、この走行機体の機体フレーム２の前部に連結された刈取り前処理部１０と、前記機体フレーム２の後部側に設けた脱穀装置３および穀粒タンク４とを備えている。
【００１３】
このコンバインは、稲、麦などの穀粒を収穫する。
すなわち、走行機体は、前記左右一対の走行装置１，１を備える他、前記機体フレーム２の前端部の刈取り前処理部１０が連結している側とは反対側の横端側に設けた運転部５を備えている。運転部５は、運転座席６を備えている。この運転座席６は、エンジンボンネットに兼用の座席支持台を介して機体フレーム２に支持されている。刈取り前処理部１０は、前記機体フレーム２に基部が連結された前処理部フレーム１１と、前記前処理部フレーム１１の前部を構成するとともに機体横方向に並んだ複数本の分草フレーム１２と、各分草フレーム１２の先端部に設けた分草具１３と、この分草具１３の後方に配置して前記前処理部フレーム１１に機体横方向に並べて設けた複数の引起し装置１４と、この引起し装置１４の後方に配置して前記前処理部フレーム１１に設けた一つのバリカン型の刈取り装置１５と、この刈取り装置１５の上方に配置して前記前処理部フレームに設けた搬送装置１６とを備えている。刈取り前処理部１０は、前記前処理部フレーム１１が昇降シリンダ１７によって機体フレーム２に対して上下に揺動操作されることにより、前記各分草具１３が地面の近くに位置した下降作業状態と、各分草具１３が地面から高く上昇した上昇非作業状態とに昇降操作される。刈取り前処理部１０を下降作業状態にして走行機体を走行させると、各分草具１３がこれに対応した刈り取り対象の穀稈列の植立穀稈を他の穀稈列の植立穀稈と分草して後方に導入し、各分草具１３からの植立穀稈は、これに対応する引起し装置１４によって引起し処理される。各引起し装置１４によって引起し処理されている植立穀稈が刈取り装置１５によって刈取り処理され、刈取り装置１５からの刈取り穀稈が搬送装置１６によって後方に搬送して脱穀装置３の脱穀フィードチェーン３ａに供給される。脱穀装置３は、脱穀フィードチェーン３ａによって刈取り穀稈の株元側を後方に挟持搬送しながら、その刈取り穀稈の穂先側を脱穀処理する。穀粒タンク４は、脱穀装置３からの脱穀粒を回収して貯留していく。
【００１４】
図１，２，３に示すように、刈取り前処理部１０は、前記複数の引起し装置１４のうちの最も機体左横外側に位置する引起し装置１４の上部の左横側と、前記複数の引起し装置１４のうちの最も機体右横外側に位置する引起し装置１４の上部の右横側とに振り分けて設けた左右一対の前照灯２０，２０を備えている。図４は、各前照灯２０の刈取り前処理部１０に設置された状態での斜視図である。この図では、左側（運転部５から遠い側）の前照灯２０のカバー２３が取り外され、右側（運転部３に近い側）の前照灯２０にはカバー２３が装着されている。図５は、左側の前照灯２０のカバー取り外し状態での正面図である。図６は、左側の前照灯２０のカバー取り外し状態での斜視図である。図７は、右側の前照灯２０のカバー取り外し状態での正面図である。図８は、右側の前照灯２０のカバー取り外し状態での斜視図である。これらの図に示すように、各前照灯２０は、機体上下方向に並んだ上下一対のバルブ２１，２１と、一つの反射器２２と、一つのカバー２３とを備えて構成してある。反射器２２は、引起し装置１４の前カバー１４ａの前面に連なる穀稈支持面を形成するカバー１８に設けた前照灯組み付け凹部に装着してある。上下一対のバルブ２１，２１は、反射器２２に設けた上下一対の反射鏡部２４，２４に振り分けて支持させてある。カバー２３は、前記反射器２２および前記各バルブ２１を覆うよう形成して前記前照灯組み付け凹部に装着してある。このカバー２３は、反射鏡部２４およびバルブ２１からの光を透過しやすいよう透明になっている。
【００１５】
左側の前照灯２０の前記上下一対の反射鏡部２４，２４は、複数の平坦な反射鏡面２４ａを備えている。各反射鏡部２４の複数の反射鏡面２４ａは、全ての反射鏡面２４ａによって凹入形でかつ非球面形の反射鏡面を形成し、バルブ２１からの光を走行機体の前方に向けて照射するよう並んでいる。
【００１６】
右側の前照灯２０の前記上下一対の反射鏡部２４，２４は、複数の平坦な反射鏡面２４ａ，２４ｂを備えている。各反射鏡部２４の複数の反射鏡面２４ａ，２４ｂは、全ての反射鏡面２４ａ，２４ｂによって凹入形でかつ非球面形の反射鏡面を形成し、バルブ２１からの光を走行機体の前方に向けて照射するよう並んでいる。上側の反射鏡部２４のうちのバルブ２１の上方と下方とに位置する一部の複数の反射鏡面２４ｂは、これらの反射鏡面２４ｂによってバルブ２１からの光の一部を他の反射鏡面２４ａよりも遠くまで線状にかつスポット状に照射する反射角を備えている。
【００１７】
左側の前照灯２０と、右側の前照灯２０とを比較すると、下側の反射鏡部２４については同一の構成を備え、上側の反射鏡部２４について異なる構成を備えている。すなわち、右側の前照灯２０は、上側の反射鏡部２４に設けた前記スポット状反射の反射鏡面２４ｂを備えているのに対し、左側の前照灯２０は、前記スポット状反射の反射鏡面２４ｂを備えていない。
【００１８】
図９は、左右一対の前照灯２０，２０による照明状態を示す平面図である。この図に示すように、左側の前照灯２０は、上下一対のバルブ２１，２１による照明光を上下一対の反射鏡部２４，２４によって走行機体前方の地面に向けて照射し、照明範囲ＬＤと照明範囲ＡＤとを照明する。右側の前照灯２０は、上下一対のバルブ２１，２１による照明光を上下一対の反射鏡部２４，２４によって走行機体前方の地面に向けて照射し、照明範囲ＲＤと照明範囲ＡＤとを照明する。右側の前照灯２０は、上側のバルブ２１による照明光の一部を前記スポット状反射の反射鏡面２４ｂによって走行機体前後向きの線状スポット照明光３０として走行機体前方の地面に向けて照射し、前記照明範囲ＲＤよりも前方の走行機体前後向きの線状照明範囲ＲＤＳを照明する。照明範囲ＡＤは、左側前照灯２０による照明と、右側の前照灯２０による照明とが重なる照明範囲である。
【００１９】
前記線状照明範囲ＲＤＳと走行機体との機体横方向での位置関係を、図９の如く設定してある。すなわち、図９に示すように、作業時には、走行機体の前方に位置する複数の植立穀稈列のうちの最も運転部側（右側）に位置する植立穀稈列３１に隣り合った切り株列Ｌが既刈り地３２と未刈り地３３との境界になる。前記境界としての切り株列Ｌに前記線状スポット照明光３０が照射される状態で走行機体が走行するよう走行機体の操縦をすれば、刈取り前処理部１０の運転部側の横端部が既刈り地３２と未刈り地３３との境界としての切り株列Ｌを通るよう設定してある。つまり、線状スポット照明光３０は、最も運転部側に位置する分草具１３が未刈り地３３の最も運転部側に位置する植立穀稈列３１の植立穀稈を引起し装置１４に導入していくよう走行機体を操縦するのに、既刈り地３２と未刈り地３３との境界としての切り株列Ｌに位置合わせする照準手段になっている。
【００２０】
〔別実施例〕
上記実施例のスポット状反射の反射鏡面２４ｂに替え、専用の照明灯によって線状スポット照明光３０を照射する構成を採用しても本発明の目的を達成することができる。また、複数の点状の照明光が走行機体前後方向に線状に並んだ照明光を照射させる構成を採用しても本発明の目的を達成することができる。従って、これら連続したスポット照明光や不連続のスポット照明光を総称して線状スポット照明光３０と総称する。また、これら反射鏡面２４ｂや専用の照明灯を総称して線状スポット照明光を照射する照射手段２４ｂと呼称する。
【図面の簡単な説明】
【００２１】
【図１】コンバインの全体側面図
【図２】コンバインの全体平面図
【図３】刈取り前処理部の正面図
【図４】前照灯の設置状態での斜視図
【図５】左側の前照灯のカバー取り外し状態での正面図
【図６】左側の前照灯のカバー取り外し状態での斜視図
【図７】右側の前照灯のカバー取り外し状態での正面図
【図８】右側の前照灯のカバー取り外し状態での斜視図
【図９】照明状態を示す平面図
【符号の説明】
【００２２】
２０        前照灯
２４ｂ      照射手段
３０        線状スポット照明光
３２        既刈り地
３３        未刈り地
Ｌ        境界
【図１】
2008125416.tif 000003
【図２】
2008125416.tif 000004
【図３】
2008125416.tif 000005
【図４】
2008125416.tif 000006
【図５】
2008125416.tif 000007
【図６】
2008125416.tif 000008
【図７】
2008125416.tif 000009
【図８】
2008125416.tif 000010
【図９】
2008125416.tif 000011